(57)【要約】【課題】  軽量で持ち運び可能な器具によって、着座者の起立を補助し、ベッドから車椅子への移乗、あるいは入浴時などに車椅子から椅子やリフトへの座り変えなどを容易にする。介助者が持ち運ぶ特殊な道具としてではなく、被介助者が常時に用いる生活用具に起立補助機能を与えることで装着の手間を省く。【解決手段】  着座部側面に牽引バンドをとりつけることで引き起こしを容易にし、着座時には座面として機能することで被介助者が自然に付帯した状態を維持する。【選択図】図１
2017000310.tif 000002
【特許請求の範囲】
【請求項１】
車椅子等に着座するときに車椅子等の座面に敷く、クッションまたはシートまたはバンド等で構成される座面部と、介助者が着座している被介助者を引き起こすために当該座面の左右の各側面に取り付けられた牽引バンドから構成され、当該座面の一部あるいは牽引バンドの一部が着座者背面方向に回り込んだ背部が座面部と側面の牽引バンドを後方で結合し、少なくとも座面部と背部が変形可能な素材で作成されていることを特徴とする起立補助座面。
【請求項２】
被介助者を引き起こすために掴む牽引バンドの掴み位置が、座面部よりも高く被介助者の鳩尾よりも低い腸骨付近の位置に来ることを特徴とする請求項１に記載の起立補助座面。
【請求項３】
被介助者の体重を支えうる帯が背部と牽引バンドおよび座面を結ぶ輪を形成し、あるいは当該帯が背部や牽引バンドや座面を代用することを特徴とする請求項１または請求項２に記載の起立補助座面。
【発明の詳細な説明】
【技術分野】
【０００１】
本発明は、高齢者や身体障害者等のベッドからの車椅子移乗、入浴等に伴うリフトや椅子等への座り変え時に、着座姿勢の被介助者が補助して起立させ、移乗先に誘導し、着座させる際に利用する起立補助に関するものである。
【背景技術】
【０００２】
起立補助具は一般に、起立困難な被介助者の起立、車椅子移乗、リフトや椅子への座り変えの際に利用される。介助者の身体状況に応じて、全体重を支えるリフト装置、車椅子などに付随した起立補助機構、バネを用いた跳ね上がり座面、足を固定して引き起こす補助具、介助者によって引き起こすための牽引バンド（特許文献１および特許文献２）などが開示されている。
【０００３】
これらのうち牽引バンドは他の方法に比べて安価であり、軽量で持ち運びが可能なために多様な場面での使用か可能である利点を有する。
【０００４】
特許文献１に示す牽引バンドでは、着座姿勢にある被介助者にウエストバンドを装着し、次いで上記ウエストバンドに牽引バンドを斜め上方に向けて引き起こすことにより、介助者を起立姿勢に導く。
【０００５】
特許文献２に示す牽引バンドでは、特許文献１のウエストバンドに代わり腰当てバンドと尻当てバンドからなる介助バンド本体を有し、介助バンド本体に取り付けられた牽引バンドを斜め上方に引き起こすことにより、介助者を起立姿勢に導く。
【先行技術文献】
【特許文献】
【０００６】
【特許文献１】特表２００４―５１４５０３号公報
【特許文献２】登録実用新案第３１５５２２９号公報
【発明の概要】
【発明が解決しようとする課題】
【０００７】
しかしながら、上記した特許文献１に開示の方法にあっては、介助者が牽引バンドを掴み、被介助者を引き起こすことが可能な点では有益であるが、装着において被介助者を持ち上げなければならず作業者の負担が大きい上、バンドの狭い面積で被介護者に圧力がかかり骨の脆い高齢者では骨折のリスクがあり、引き起こし動作中には被介助者が不安定になりやすい問題がある。
【０００８】
この不具合を解消するために考案された特許文献２に開示の方法にあっては、方向を間違えずに被介助者に比較的簡単に装着することができ、安定な引き起こし動作を可能にする点で有益であるが、装着作業の煩わしさが消えたわけではなく、習熟の必要な特殊道具の域を出ない。自らの身体を使って引き起こす作業に慣れている介助者にとっては作業の軽減には必ずしも寄与しない場合がある。
【０００９】
さらに、上記のいずれの方法においても、バンドの食い込みや滑りやすさが災いし、入浴介助など濡れて滑りやすくなった被介助者の起立や移乗を支えるのには適さない。
【００１０】
そこで本発明では、上記の装着作業の煩わしさを解消し、入浴等で滑りやすくなった被介助者であっても安定して起立支援するため、被介助者が車椅子や椅子で常時使用するクッション等の座面部を構造の基本とし、それに引き起こし用の牽引バンドを被介助者にとって邪魔にならない形で結合することにより、装着作業なしにいつでも起立支援することを可能にする起立補助座面を提供することを目的とする。
【課題を解決するための手段】
【００１１】
本発明は、被介助者にとって常時着座しても不快とならない座面部を有し、介助者が掴む引き起こし用の牽引バンドを側面に有すること、さらに牽引バンドまたは座面が延長された背部を通して牽引バンドと座面部が結合すること、さらに少なくとも座面部と背部が変形可能な素材で作成されていることにより、引き起こし動作において被介助者の腰から大腿を包み支えることを最も主要な特徴とする。
【００１２】
上記の座面部側面から背部につながる牽引バンドを介助者が掴む位置が、座面部よりも高く被介助者の鳩尾よりも低い、腸骨付近になることが好ましい。
【００１３】
同じく、被介助者の体重を支えうる強度の帯がしっかりと結合した座面部と背部と牽引バンドおよび座面を結ぶ輪を形成し、あるいは当該帯が背部や牽引バンドや座面部の一部を代用することで、被介助者の体重を支える強度を保持することが好ましい。
【発明の効果】
【００１４】
請求項１に掛かる発明によれば、車椅子等に着座するときに車椅子等の座面に敷く、クッションまたはシートまたはバンド等で構成される座面部と、介助者が着座している被介助者を引き起こすために当該座面の左右の各側面に取り付けられた牽引バンドから構成され、当該座面の一部あるいは牽引バンドの一部が着座者背面方向に回り込んだ背部が座面部と側面の牽引バンドを後方で結合し、少なくとも座面部と背部が変形可能な素材で作成されていることにより、介助者による引き起こし動作において、被介助者の腰から大腿までを支えることによって、入浴等で滑りやすくなった被介助者であっても装着作業なしにいつでも安定に起立支援することが可能になる。
【００１５】
請求項２にかかる発明によれば、上記の被介助者を引き起こすために掴む牽引バンドの掴み位置が、座面部よりも高く被介助者の鳩尾よりも低い腸骨付近の位置に来ることにより、被介助者の腰を安定して支えるとともに、介助者が後方に体重移動を行うことで引き起こし動作を自然に行うことが可能になる。牽引バンドの掴み位置が低すぎると被介助者が不安定になり、掴み位置が高すぎると介助者の引き起こしの負担が大きい。
【００１６】
請求項３にかかる発明によれば、被介助者の体重を支えうる強度の帯が上記背部と牽引バンドおよび座面を結ぶ輪を形成し、あるいは当該帯が背部や牽引バンドや座面部の一部を代用することで、全体の強度を保持するために、被介助者の安全が保たれる。
【図面の簡単な説明】
【００１７】
【図１】本発明の第一実施形態における起立補助座面を示す斜視図である。
【図２】本発明の第二実施形態における起立補助座面を示す斜視図である。
【図３】本発明の第一実施形態における起立補助座面の使用状態を示す側面図である。
【図４】本発明の第一および第二実施形態の重心移動を示す模式図である。
【発明を実施するための形態】
【００１８】
以下、第一実施形態を示す起立補助座面について、図面を参照して説明する。
【００１９】
図１に示すように、本発明の起立補助座面Ａは、座面部１と、牽引バンド２と、座面部１としっかりと結合または連続した背部３とで構成される。
【００２０】
そして、牽引バンド２の一端は座面部１と結合部４でしっかりと結合し、また牽引バンド２の他端は背部３と結合部５でしっかりと結合する。
【００２１】
上記したように、牽引バンドと背部は後方および側面にあるために着座時に本発明の起立補助座面Ａは被介助者の妨げとならないので、常時付帯し使用状態を保つことが可能となり、起立のたびに装着する手間を省くことができる。
【００２２】
また、牽引バンド２の掴み位置が高すぎると介助者の体重の後方移動による引き起こしが困難になるが、図１および図３に示すように座面よりも高く被介助者７の鳩尾よりも低い適切な位置にある本発明の起立補助座面Ａの牽引バンドを掴み、図３に示すように腕の力ではなく、介助者８の体重を後方に移動させることで引き起こすことが可能となる。
【００２３】
このとき、掴み位置が適切であれば、図３および図４に示されるように、被介助者８の着座している起立補助座面Ａと介助者７の腕と軸足を結ぶ三角形Ｂ１が、体重を後方に移すことで実現される回転運動によって引き起こされ、適度な前屈みとなる初期角度から、のけぞらない程度の角度の最終位置Ｂ２に移動することになり、容易に被介助者の起立支援を行うことができる。
【００２４】
尚、少なくとも座面部１と背部３が変形可能な素材で作成されていることにより、図３に示すように引き起こし動作において、被介助者の腰から大腿までを包み支えることで、被介助者の起立動作のふらつきを軽減できる。
【００２５】
以下に、本発明に係る起立補助座面の構成部品について、詳細に説明する。
【００２６】
上記座面部１は図１に示すように、着座時に座面として機能する一辺３０ｃｍ程度の正方形に近い布であり、起立補助での引き起こし動作時に大腿を包むように変形する程度の柔らかさがあり、破れず、デニムや帆布など丈夫で滑りにくい素材の布または樹脂性シートなどで構成される。
【００２７】
そして、座面部は車椅子等で使う場合にはクッション材を入れ、長時間使用可能でも褥瘡を予防する工夫が好ましいが、他のクッション材上で使う場合には丈夫で滑りにくいデニムや帆布や樹脂等の布地のみとしても良い。
【００２８】
さらに、入浴介護で使用する場合は、前期座面部は水を吸わず滑りにくい樹脂等の素材を使用することが好ましい。
【００２９】
また、座面部の形状や構造は適宜選択することが可能であり、例えば、通気性を考慮して網状にしたり、車椅子からずり落ちないように傾斜をつけたりしても良い。
【００３０】
また、前記座面部は後述するように後側に回り込んで背部を兼ねても良い。
【００３１】
上記座面部の後部に連設される背部は短辺１５ｃｍ程度、長辺３０ｃｍ程度の横長の長方形の布で形成されており、起立補助での引き起こし動作時に腰部を包むように変形する程度の柔らかさがあり、破れず、滑りにくいデニムや帆布等の素材の布または樹脂性シートなどで構成される。
【００３２】
前期背部が存在することにより、引き起こし動作時に座面部とともに被介助者の腰から大腿までを包み支え、安定した起立支援を行うことが可能である。
【００３３】
そして、背部は図１に示すように座面の後側に位置し、背部自身の強度または縫い付けの固定法あるいは後述する牽引バンドによる固定などにより、着座状態では背もたれのように起立して着座の妨げとならないことが好ましい。
【００３４】
一方で、引き上げ時に座面部とともに変形して被介助者の腰から大腿に沿うのと同様に、必要に応じて座面に添わせた平面に変形させることができ、それによって、例えばベッドに寝た状態の被介助者に差し込み、座位へ誘導した時に自然に装着状態とすることが可能となる。
【００３５】
また、背部は背部専用の布を取り付けるほか、座面部の素材が延長されてその機能を兼ねても良く、また後述するほかの実施形態のように牽引バンドが延長されてその機能を兼ねても構わないが、いずれの場合でも被介助者の起立時にかかる荷重で生地そのものや縫い目等が破れない十分な強度を示すようにしなければならない。
【００３６】
さらに、入浴介護で使用する場合は、前期背部は水を吸わず滑りにくい樹脂等の素材を使用することが好ましい。
【００３７】
尚、背部の形状や素材や構造は適宜選択することが可能であり、例えば、強度を保つために芯材を有する布を導入しても良い。
【００３８】
上記座面部と背部の左右側面に牽引バンド２が取り付けられる。
【００３９】
前記それぞれの牽引バンドは、一端を座面側面に固定し、他端を背部に固定することで、引き起こし動作時に背部と座面部を一体として被介助者の腰から大腿部を包み支えることが可能となる。
【００４０】
牽引バンドの形状や素材は適宜選択することが可能であるが、引き起こし動作中に介助者が掴む位置が、座面部よりも高く被介助者の鳩尾よりも低い腸骨付近となるようにすることが好ましい。
【００４１】
前記のように適切な掴み位置になるように牽引バンドを取り付けることにより、介助者が図３および図４に示すように、屈みすぎず仰け反りすぎない無理のない範囲で体重移動することにより被介助者を引き起こすことが可能になる。
【００４２】
次に、上記した第一実施形態に係る起立補助座面の使用例について以下に説明する。
【００４３】
先ず、図３（ａ）に示すように、本発明の起立補助座面に着座状態にある被介助者の前方から腕を伸ばした状態で左右の各牽引バンドを掴む。このときに介助者の軸足は被介助者の足の間におき、被介助者は介助者の背中に手を回すことが好ましい。
【００４４】
次に介助者は腕を適度に伸ばしたまま、被介助者側においていないもう一方の足を後方に引き、図３（ｂ）に示すように軸足を中心に重心を後方に移動する。
【００４５】
前記の重心移動により、図３および図４のＢ１からＢ２と示される回転運動が生じ被介助者は自然に引き起こされ起立に導くことが可能となり、介助者にとっては腕や腰に負担がかからない。
【００４６】
また、従来の起立補助具と異なり、本発明の起立補助座面は被介助者が常時使用状態にあることで装着の手間が省けるので作業の効率性が良く、また被介助者への接触面積が大きいことから起立時の安定性が高い。
【００４７】
次に、本発明に係る起立補助座面の他の実施の形態について、以下に説明する。
【００４８】
上記第一実施形態の起立補助座面の構成に相当する構成については同符号を付し、重複する説明は省略する。
【００４９】
図２に示すように、他の実施形態の起立補助座面は、第一実施形態と同じく、座面部１と、左右の牽引バンド２と、背部３から構成され、各牽引バンドの一端は座面と結合部４でつながり、他端は背部と結合部５でつながる。
【００５０】
図２中、帯６は牽引バンド２と背部３の一部を兼ねており、また座面部１の内部または底面を結ぶ輪を形成している。
【００５１】
そして、輪状の帯６は被介助者を支える十分な強度を保ち、座面部から同じ素材で延長された背部と、座面および背部でしっかりと固定される。
【００５２】
当該構成は、上記第一実施形態の起立補助座面と共通する構成であり、その作用効果は第一実施形態と同様である。
【００５３】
本実施形態における起立補助座面は、上記第一実施形態とその形状を異にするものである。
【００５４】
図２に示すように丈夫な布製の帯６は牽引バンド２と背部３の一部を兼ねており、また座面部１の内部または底面を結ぶ輪を形成しており、強度を保ちながら柔軟性が高い。
【００５５】
したがって、平面状にしてベッドに寝た状態の被介助者に差し込んで引き起こしながら当該起立補助座面Ａ上に容易に着座状態に導くことができ、多様な形状の車椅子への移乗を可能にする。
【００５６】
また、輪が基本構造となるため、被介助者の重量が輪の全体に分散され、特定の固定点や縫い目に負荷がかかりにくい。
【００５７】
帯６が牽引バンド２と背部３の一部を兼ね、また座面と同じ素材で構成することが可能であるため、工程数を減らした縫製で製造が可能となる。
【００５８】
本実施形態における起立補助座面における使用例は、上記の第一実施形態における起立補助座面の使用例と同様である。
【００５９】
以上、本発明の一実施の形態を詳細に説明したが、特許請求の範囲から逸脱することなく改造、変形及び変更を行うことができることは理解すべきである。
【符号の説明】
【００６０】
Ａ  起立補助座面本体
Ｂ１、Ｂ２  使用時に実現される回転動作の初期位置と最終位置
１  座面部
２  牽引バンド
３  背部
４  牽引バンドの前方結合点
５  牽引バンドの後方結合点
６  牽引バンドと背部を兼ねる帯
７  被介助者
８  介助者
【図１】
2017000310.tif 000003
【図２】
2017000310.tif 000004
【図３】
2017000310.tif 000005
【図４】
2017000310.tif 000006
【手続補正書】
【提出日】平成28年9月9日(2016.9.9)
【手続補正１】
【補正対象書類名】特許請求の範囲
【補正対象項目名】全文
【補正方法】変更
【補正の内容】
【特許請求の範囲】
【請求項１】
車椅子等に着座するときに車椅子等の座面上に敷く、クッションまたはシートまたはバンドで構成される座面部と、介助者が着座している被介助者を引き起こすために当該座面部の左右の各側面に取り付けられた牽引バンドから構成され、当該座面部の一部あるいは牽引バンドの一部が着座している被介助者の背面方向に回り込んで背部を形成し、当該背部が座面部と側面の牽引バンドを結合し、座面部と背部が柔らかい変形可能な素材で作成されていることにより、介助者による引き起こし動作において、被介助者の腰から大腿までを包み支えることを特徴とする起立補助座面。
【請求項２】
被介助者を引き起こすために掴む牽引バンドの掴み位置が、座面部よりも高く被介助者の鳩尾よりも低い腸骨付近の位置に来ることを特徴とする請求項１に記載の起立補助座面。
【請求項３】
被介助者の体重を支えうる強度の帯が背部と牽引バンドおよび座面部を結ぶ輪を形成し、あるいは当該帯が背部や牽引バンドや座面部を代用することで、全体の強度を保持することを特徴とする請求項１または請求項２に記載の起立補助座面。